(57)【特許請求の範囲】
【請求項１】
地図情報を記憶する地図情報記憶手段と、該地図情報記憶手段に記憶された地名等の情報群の音声特徴を記憶する音声特徴記憶手段と、入力音声から抽出した音声特徴を音声特徴記憶手段に記憶された音声特徴と比較して地図表示に必要な入力音声の特徴を認識する音声認識手段と、該音声認識手段により認識された音声特徴に対応した地図情報を上記地図情報記憶手段から読み出して表示する地図表示手段とを備えてなる車載用地図表示装置において、
地名等の正式な呼称に、該地名等に関し多用される不正確な呼称を加えたものを認識対象語として、上記音声特徴記憶手段に記憶させ、
上記地名等には施設名を含み、上記音声特徴記憶手段に記憶される認識対象語が、施設の所在地および該施設の属性から検索可能なキーワードよりなることを特徴とする車載用地図表示装置。
【請求項２】
上記地名等の不正確な呼称が、地名等の漢字が誤って発話される可能性が高いと推測される呼称を含むことを特徴とする請求項１記載の車載用地図表示装置。
【請求項３】
上記地名等の不正確な呼称が、省略表現される地名等の呼称を含むことを特徴とする請求項１または２記載の車載用地図表示装置。
【請求項４】
省略表現される地名が、郡、市、町、村を省略した地名よりなることを特徴とする請求項３記載の車載用地図表示装置。
【発明の詳細な説明】
【０００１】
【発明の属する技術分野】
本発明は、車載用ナビゲーション装置に適用して好適な、音声認識機能を備えた地図表示装置に関する。
【０００２】
【従来の技術】
近年、車載用ナビゲーション装置として音声認識機能を備えたものが開発されている。
【０００３】
この音声認識機能を備えた車載用ナビゲーション装置では、操作者が手を使わずに現在地、目的地等の地名、施設等の名称を音声で入力することにより、現在地、目的地等の地図情報を表示手段に表示することができるから、安全運転上極めて好ましいものであり、例えば、特開平３−２５７４８５号に開示された車載用地図表示装置では、表示装置に表示している地名の情報群の音声特徴と入力された音声とを比較し、認識された音声特徴に対応した地図情報を表示することにより、容易かつ確実な地名入力を可能にしている。
【０００４】
【発明が解決しようとする課題】
ところが、従来のナビゲーション装置が備えている音声認識システムでは、その音声特徴データベースに、地名、施設名（以下、「地名等」と呼ぶ）を正確に発話した場合のデータしか登録されていないため、誤った呼称あるいは省略した呼称を発話した場合は、システム側に受理されなかった。したがって、ナビゲーション装置の操作者が、正確な地名等を知らない場合は、音声による操作が不可能であった。
【０００５】
上述の事情に鑑み、本発明は、操作者が地名等を誤って、あるいは一部を省略して発話した場合であっても、音声認識による地図操作、情報検索が可能な車載用地図表示装置を提供することを目的とする。
【０００６】
【課題を解決するための手段】
本発明による車載用地図表示装置は、地図情報を記憶する地図情報記憶手段と、該地図情報記憶手段に記憶された地名等の情報群の音声特徴を記憶する音声特徴記憶手段と、入力音声から抽出した音声特徴を音声特徴記憶手段に記憶された音声特徴と比較して地図表示に必要な入力音声の特徴を認識する音声認識手段と、該音声認識手段により認識された音声特徴に対応した地図情報を上記地図情報記憶手段から読み出して表示する地図表示手段とを備えてなる構成において、地名等の正式な呼称に、該地名等に関し多用される不正確な呼称を加えたものを認識対象語として、上記音声特徴記憶手段に記憶させ、上記地名等には施設名を含み、上記音声特徴記憶手段に記憶される認識対象語が、施設の所在地および該施設の属性から検索可能なキーワードよりなることを特徴とするものである。
【０００７】
この場合、上記地名等の不正確な呼称は、地名等の漢字が誤って発話される可能性が高いと推測される呼称を含む。
【０００８】
また、上記地名等の不正確な呼称は、省略表現される地名等の呼称を含む。
【０００９】
また、省略表現される地名が、郡、市、町、村を省略した地名よりなる。
【００１０】
【発明の効果】
本発明によれば、地名等の正確な呼称に加えて、誤って発話される可能性のある呼称、あるいは省略表現される呼称等を認識対象語とすることにより、操作者が地名等に関し不正確な発話をした場合でも、操作者の意図に適合した動作をさせることができるから、音声入力手段を備えたこの種の車載用地図表示装置にありがちな欠点が解消される。
【００１１】
また、施設に関しては、その所在地および該施設の属性から検索可能なキーワードを認識対象語に設定することにより、操作者が正確な名称を知らない施設等の検索にも対応することができる。
【００１２】
【発明の実施の形態】
以下、図面を参照して、本発明の実施の形態について説明する。図１は、本発明による地図表示装置が適用されるナビゲーション装置の全体構成を示すブロック図である。
【００１３】
図１に示すナビゲーション装置は、地図情報を記憶する地図データベース１（地図情報記憶手段）と、この地図データベース１に記憶された地名情報群の音声特徴を記憶する音声特徴データベース２（音声特徴記憶手段）と、音声入力手段としてのマイクロフォン３からの入力音声から抽出した音声特徴を音声特徴データベース２に記憶された音声特徴と比較して地図表示に必要な入力音声の特徴を認識する音声認識部４（音声認識手段）と、この音声認識部４により認識された音声特徴に対応した地図情報を地図データベース１から読み出して表示装置５の画面に表示する経路誘導装置６と、認識対象語決定部７（認識対象語決定手段）と、ＧＰＳアンテナ、車速センサ、ジャイロ等からなる車両位置検出装置８と、音声によってドライバを道案内し、かつ適切な指示を与える音声出力装置９とを備えている。
【００１４】
本実施の形態においては、経路誘導装置６は、ドライバが設定した目的地までの推奨経路を探索して、これを表示装置５の画面に表示する機能を有する。さらに、経路誘導装置６から認識対象語決定部７に対して、現在地データ、経路データおよび道路属性データが送信され、認識対象語決定部７では、これらデータの基づいて、音声認識対象語を、予め設定された車両走行経路もしくは現在の車両走行状態から予測される車両走行域のみに関連する地名情報に限定して決定し、その決定された認識対象語データを音声認識部４に送信するようになっている。
【００１５】
上記地図データベース１には、地図データに加えて、地名の音声認識用データが緯度、経度に関連づけて格納されている。また、現在地データには、緯度、経度の他に車速、進行方位データおよび走行している道路のリンクＩＤも含まれており、さらに、道路属性データとは、車両が現在走行している道路の属性（自動車専用道路、国道、県道等）に関するデータである。
【００１６】
音声特徴データベース２には、例えば下記の表１に記載されているように、正式には「いさわ」と呼称すべき漢字名称「石和」を有する地名に対して、正式地名を知らない者が誤読する可能性が高い「いしわ」および「せきわ」が正式呼称「いさわ」とともに認識対象語として登録されてある。したがって、ドライバが誤って「いしわ」あるいは「せきわ」と発話した場合であっても、「石和」周辺の地図を表示装置に表示することができる。
【００１７】
【表１】
0003579971.tif 000002
【００１８】
また、音声特徴データベース２には、例えば下記の表２に記載されているように、正式には「きしねちょう」と呼称すべき漢字名称「岸根町」を有する町名に対して、誤読される可能性が高い「きしねまち」および「町」を省略した「きしね」が正式呼称「きしねちょう」とともに認識対象語として登録されてある。したがって、ドライバが「きしねまち」あるいは「きしね」と発話した場合であっても、「岸根町」周辺の地図を表示装置に表示することができる。同様に、「町」のみでなく、郡、市、村等を省略した他の地名に関しても、正式地名とともに認識対象語として登録される。
【００１９】
【表２】
0003579971.tif 000003
【００２０】
さらに、音声特徴データベース２には、施設施設の所在地および該施設の属性から検索可能なキーワードが登録されている。例えば「広島市民球場」という正式施設名に加えて「広島の野球場」も認識対象語として登録されてある。したがって、ドライバが「広島の野球場」と発話した場合であっても、現在地から「広島市民球場」への経路を表示装置に表示させることができる。
【００２１】
このように、本実施の形態においては、地名等の正確な呼称に加えて、誤って発話される可能性のある呼称、あるいは省略表現される呼称等を認識対象語として音声特徴データベース２に登録しておくことにより、操作者が地名等に関し不正確な発話をした場合でも、操作者の意図に適合した動作をさせることができるから、音声入力手段を備えたこの種の車載用地図表示装置にありがちな欠点が解消される。
【００２２】
また、施設に関しては、その所在地および該施設の属性から検索可能なキーワードを認識対象語に設定することにより、操作者が正確な名称を知らない施設等の検索にも対応することができる。
【図面の簡単な説明】
【図１】本発明による地図表示装置が適用されるナビゲーション装置の全体構成を示すブロック図
【符号の説明】
１    地図データベース（地図情報記憶手段）
２    音声特徴データベース（音声特徴記憶手段）
３    マイクロフォン
４    音声認識部（音声認識手段）
５    表示装置（地図表示手段）
６    経路誘導装置
７    認識対象語決定部（認識対象語決定手段）
８    車両位置検出装置
９    音声出力装置
【図１】
0003579971.tif 000004